(57)【要約】【課題】遊技盤を小型化し、コストダウンを図る。【解決手段】遊技盤４に始動入賞口１３、通常入賞口１４及びアタッカ１５を設ける。遊技盤４の始動入賞口１３、通常入賞口１４及びアタッカ１５の周りに、釘１７を設ける。ガイドレール枠５の前面板２０に、挿入凹部２０ｂを形成する。挿入凹部２０ｂに遊技盤４を挿入すると、遊技盤４の前面と枠本体２０の前面とが同一平面上になる。前面板２０の中央部に、センター役物１２を設ける。センター役物１２の左側部の内部に、パチンコ球誘導路２５を設ける。枠本体２０の前面に、前面ボス２０ｆを複数形成する。遊技領域１０に打ち出されたパチンコ球８は、釘１７及び前面ボス２０ｆに当接しながら流下し、各入賞口１５,１６及びアタッカ１５のいずれかに入るか、あるいはアウト口１６から回収される。【選択図】図２
2008035936.tif 000002
【特許請求の範囲】
【請求項１】
遊技球の入賞口及び可動することで前記遊技球を入賞させる可動入賞装置が設けられた遊技盤と、前記遊技球が流下する遊技領域を規定する遊技領域規定枠と、を備えた遊技機であって、
前記遊技盤は、前記遊技球を前記入賞口及び前記可動入賞装置に導く釘が打ち付けられるとともに、前記遊技領域よりも小さいサイズで形成され、
前記遊技領域規定枠は、前記遊技領域を形成し、前面側から視認される前面板と、前記前面板に形成され、前記遊技盤の前面と前記前面板の前面とが同一平面上になるように前記遊技盤が挿入される挿入部と、を備えることを特徴とする遊技機。
【請求項２】
前記遊技領域を流下する前記遊技球を導いて当該遊技球の流下経路を規制する第１誘導路と、この規制された前記遊技球を前記入賞口に向けて誘導する第２誘導路と、を有し、前記遊技領域規定枠に設けられた役物を備え、
前記釘は、前記遊技球を前記第１誘導路に導くことを特徴とする請求項１記載の遊技機。
【請求項３】
前記挿入部を凹部から構成し、
前記凹部に、前記入賞口に入賞した前記遊技球を案内する第１案内孔と、前記可動入賞装置に入賞した前記遊技球を案内する第２案内孔と、を形成したことを特徴とする請求項１または２記載の遊技機。
【請求項４】
前記前面板を前面側から後面側を視認可能な透明素材から構成し、
前記前面板の後面に、画像が印刷された画像シートを取り付けたことを特徴とする請求項１ないし３いずれか１つ記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機は、ＬＣＤ等の図柄可変表示装置が組み付けられた裏セット板と称される支持体と、複数の釘や役物等が取り付けられたベニヤ板からなる遊技盤と、遊技領域を規定するガイドレール枠と称される遊技領域規定枠とを備えた遊技盤ユニットを本体枠に取り付けている。遊技盤には、複数の釘、風車、始動入賞口、始動入賞口にパチンコ球が入賞したことによって可動する可動入賞装置としてのアタッカ等が設けられている。始動入賞口及びアタッカにパチンコ球が入ることを入賞とし、入賞によりパチンコ球を獲得することができる。パチンコ球には一定の価値が与えられ、遊技を行って獲得したパチンコ球を種々の景品に交換することができる。釘は、遊技盤の始動入賞口及びアタッカの周囲に打ち付けられており、パチンコ機が設置される遊技場の管理者は、釘の向きを調整し、パチンコ球を始動入賞口及びアタッカに導く割合（遊技者への特典付与率）を調整する。
【０００３】
ガイドレール枠は、樹脂により構成され、遊技盤の前面に取り付けられている。遊技盤には、図柄可変表示装置を前面側から視認可能にするための開口が形成されている。遊技盤は、複数のパチンコ機の機種で、釘を取り付ける位置、取り付けられる役物のサイズ及び位置、開口のサイズ及び位置が異なるが、同一の外径サイズのものが共通化して使用されている。これにより、製造工程の簡略化を図り、パチンコ機のコストダウンを図っている。
【０００４】
近年では、上記した役物や図柄可変表示装置が大型化し、それに伴い、遊技領域を大きくすることが考えられており、特許文献１では、遊技盤の外径サイズを変えることなく、遊技盤の外側の範囲に遊技領域を形成し、遊技領域を大きくすることができるパチンコ機が提案されている。
【０００５】
また、ベニヤ板からなる遊技盤はコストが高いため、遊技盤のサイズを小さくし、その小さくした部分をガイドレール枠から構成することにより、パチンコ機のコストダウンを図ることが考えられている。
【特許文献１】特開２００３−１１７０９１号公報
【発明の開示】
【発明が解決しようとする課題】
【０００６】
しかしながら、釘をガイドレール枠に取り付けた場合には、釘の向きを調整すると、樹脂製のガイドレール枠が破損することがあり、問題となっていた。さらに、樹脂製のガイドレール枠に、釘状の凸部を一体的に形成した場合には、この凸部の向きを調整することができないという問題があった。
【０００７】
本発明は、上記課題を解決するためになされたものであり、調整が必要な釘を打ち付ける部分のみを遊技盤から構成し、他の部分をガイドレール枠から構成することにより、コストダウンを図ることができる遊技機を提供することを目的とする。
【課題を解決するための手段】
【０００８】
上記目的を達成するために、本発明の遊技機は、遊技球の入賞口及び可動することで前記遊技球を入賞させる可動入賞装置が設けられた遊技盤と、前記遊技球が流下する遊技領域を規定する遊技領域規定枠と、を備えた遊技機であって、前記遊技盤は、前記遊技球を前記入賞口及び前記可動入賞装置に導く釘が打ち付けられるとともに、前記遊技領域よりも小さいサイズで形成され、前記遊技領域規定枠は、前記遊技領域を形成し、前面側から視認される前面板と、前記前面板に形成され、前記遊技盤の前面と前記前面板の前面とが同一平面上になるように前記遊技盤が挿入される挿入部と、を備えることを特徴とする。
【０００９】
なお、前記可動入賞装置の駆動契機としては、前記入賞口に前記遊技球が入賞したこと、前記入賞口への入賞に応じて駆動する当たり判定部で当たりが判定されたとき等が挙げられる。また、前記釘は、複数設けられていることが好ましい。さらに、前記前面板に、前記遊技球の流下経路を変化させる凸部を設けることが好ましい。また、ＬＣＤ等からなる図柄可変表示装置を備え、この図柄可変表示装置を遊技領域規定枠に取り付けることが好ましい。
【００１０】
また、前記遊技領域を流下する前記遊技球を導いて当該遊技球の流下経路を規制する第１誘導路と、この規制された前記遊技球を前記入賞口に向けて誘導する第２誘導路と、を有し、前記遊技領域規定枠に設けられた役物を備え、前記釘は、前記遊技球を前記第１誘導路に導くことが好ましい。
【００１１】
さらに、前記挿入部を凹部から構成し、前記凹部に、前記入賞口に入賞した前記遊技球を案内する第１案内孔と、前記可動入賞装置に入賞した前記遊技球を案内する第２案内孔と、を形成することが好ましい。
【００１２】
また、前記前面板を前面側から後面側を視認可能な透明素材から構成し、前記前面板の後面に、画像が印刷された画像シートを取り付けることが好ましい。
【発明の効果】
【００１３】
本発明の遊技機によれば、遊技球の入賞口及び可動することで遊技球を入賞させる可動入賞装置が設けられた遊技盤と、遊技球が流下する遊技領域を規定する遊技領域規定枠と、を備え、遊技盤は、遊技球を入賞口及び可動入賞装置に導く釘が打ち付けられるとともに、遊技領域よりも小さいサイズで形成され、遊技領域規定枠は、遊技領域を形成し、前面側から視認される前面板と、前面板に形成され、遊技盤の前面と前面板の前面とが同一平面上になるように遊技盤が挿入される挿入部と、を備えるから、遊技盤の小型化を図ることによりコストダウンを図りながらも、釘の向きを調整し、遊技球を入賞口及び可動入賞装置に導く割合（遊技者への特典付与率）を調整することができる。
【００１４】
また、遊技領域を流下する遊技球を導いて当該遊技球の流下経路を規制する第１誘導路と、この規制された遊技球を入賞口に向けて誘導する第２誘導路と、を有し、遊技領域規定枠に設けられた役物を備え、釘は、遊技球を第１誘導路に導くから、釘の向きを調整し、遊技球を第１誘導路に導く割合（遊技者への特典付与率）を調整することができる。
【００１５】
さらに、挿入部を凹部から構成し、凹部に、入賞口に入賞した遊技球を案内する第１案内孔と、可動入賞装置に入賞した遊技球を案内する第２案内孔と、を形成したから、入賞口及び可動入賞装置に入賞した遊技球を、確実に案内することができる。
【００１６】
また、前面板を前面側から後面側を視認可能な透明素材から構成し、前面板の後面に、画像が印刷された画像シートを取り付けたから、透明な前面板を通して、画像シートの画像を視認することができる。
【発明を実施するための最良の形態】
【００１７】
図１に示すように、遊技機の１実施例であるパチンコ機２は、本体枠３の内部に、ベニヤ板からなる遊技盤４及びガイドレール枠（遊技領域規定枠）５が配設されており、本体枠３の前面には前面扉６が開閉自在に取り付けられている。前面扉６の下方には、打球供給用の供給皿７及びパチンコ球（遊技球）８の打ち出し強さを調節する操作ハンドル９が設けられている。詳しくは後述するように、遊技盤４は、遊技領域よりも小さいサイズで形成されており、遊技盤４は、ガイドレール枠５の挿入凹部２０ｂに挿入されている。遊技盤４とガイドレール枠５とにより、遊技領域１０が形成される。
【００１８】
パチンコ球８が打ち出される遊技領域１０の略中央には、始動入賞口１３へパチンコ球８を入賞させるなどの所定入賞条件に基づいて遊技中に様々な図柄を液晶画面に所定時間内において変動表示させた後に停止表示させる図柄可変表示装置１１が設けられている。この図柄可変表示装置１１は、ガイドレール枠５の後面側に設けられた支持部材に取り付けられている。
【００１９】
ガイドレール枠５には、センター役物１２が設けられており、センター役物１２に形成された開口１２ａを介して、図柄可変表示装置１１を視認することができる。
【００２０】
センター役物１２の周りには、始動入賞口１３、通常入賞口１４、アタッカ（可動入賞装置）１５、アウト口１６が設けられている。始動入賞口１３、通常入賞口１４及びアタッカ１５は、遊技盤４に設けられており、アウト口１６は、ガイドレール枠５に設けられている。遊技者は、供給皿７にパチンコ球８を投入してパチンコ球８を供給皿７内に設けられた誘導路を介して球発射装置へと導き、回動式の操作ハンドル９を所定量回動して球発射装置の駆動を制御することで、遊技領域１０の上方に向けてパチンコ球８を打ち出す。打ち出されたパチンコ球８は、遊技領域１０の上方から流下する途中で各入賞口１３,１４及びアタッカ１５のいずれかに入るか、あるいはアウト口１６から回収される。
【００２１】
図２及び図３に示すように、遊技盤４には、始動入賞口１３、通常入賞口１４及びアタッカ１５にパチンコ球８を導くための釘１７が複数打ち付けられている。なお、図１においては、図面の乱雑を避けるため、釘１７の図示を省略している。また、遊技盤４には、公知の構造体である風車（図示せず）が設けられている。
【００２２】
釘１７は、始動入賞口１３、通常入賞口１４及びアタッカ１５の周りに設けられており、例えば、始動入賞口１３の上方には、２本の釘１７が設けられ、この２本の釘１７の間を通ったパチンコ球８が、始動入賞口１３に入賞する。すなわち、２本の釘１７の隙間が広いときには、パチンコ球８が始動入賞口１３に入賞し易く、２本の釘１７の隙間が狭いときには、パチンコ球８が始動入賞口１３に入賞しにくくなる。パチンコ機２が設置される遊技場の管理者は、始動入賞口１３の上方の２本の釘１７をハンマー等の工具で叩くことにより、２本の釘１７の隙間（釘１７の向き）を調整している。これにより、パチンコ球８の始動入賞口１３への入賞率（打ち出されたパチンコ球８の数量に対して、始動入賞口１３に入賞したパチンコ球８の数量の比率）を調整している。同様にして、遊技場の管理者は、通常入賞口１４及びアタッカ１５の周りに設けられた釘１７の向きを調整することにより、パチンコ球８の通常入賞口１４及びアタッカ１５への入賞率を調整している。
【００２３】
また、釘１７は、センター役物１２に形成されたパチンコ球誘導路２５の入口２５ａに、パチンコ球８を導く位置にも設けられている。遊技場の管理者は、入口２５ａの周りに設けられた釘１７の向きを調整することにより、パチンコ球８の入口２５ａへの導入率を調整している。
【００２４】
アタッカ１５は、開閉自在に設けられており、パチンコ機２の主制御を行う制御部１８（図１参照）に接続され、制御部１８により駆動が制御される。遊技盤４のアタッカ１５の奥には大入賞口１９が設けられており、アタッカ１５は大入賞口１９を開放する開放位置と大入賞口１９を閉じる閉じ位置との間で開閉する。制御部１８は、所定の条件を満たしたときに、アタッカ１５を開放するように制御する。始動入賞口１３、通常入賞口１４及び大入賞口１９には、パチンコ球８の入賞を検出する入賞検出センサがそれぞれ設けられている。各センサは、制御部１８に接続されており、パチンコ球８の入賞を検出したことに応答して、制御部１８に入賞検出信号を入力する。制御部１８は、入賞検出信号が入力されたことに応答して、パチンコ機２の駆動を制御する。
【００２５】
ガイドレール枠５は、透明樹脂製で板状に形成された前面板２０の前面外周にリブが立設され、さらに、前面板２０の前面に、第１内レール２１、第２内レール２２、外レール２３が取り付けられた構成となっている。各レール２１〜２３は、例えばポリアセタール等の摺動性、耐摩耗性に優れた樹脂材から形成されている。なお、第１内レール２１と外レール２３との間は、打ち出されたパチンコ球８を遊技領域１０に向けて誘導するためのガイド部２０ａとなる。また、前面板２０の下側端部の中央には、各入賞口１３,１４及びアタッカ１５のいずれにも入賞しなかったパチンコ球８を所定の受け部に導くためのアウト口１６が形成されている。なお、各レール２１〜２３は、それぞれ図示しないビス等により前面板２０に組み付け固定される。
【００２６】
前面板２０の中央部には、センター役物１２が設けられている。センター役物１２の左側部の内部には、パチンコ球誘導路（第１誘導路）２５が設けられている。パチンコ球誘導路２５の入口２５ａに入ったパチンコ球８は、パチンコ球誘導路２５を通り、出口２５ｂから排出される。出口２５ｂから排出されたパチンコ球８は、ステージ２６上に送られる。
【００２７】
センター役物１２には、図柄可変表示装置１１の下方の位置にステージ２６が設けられている。ステージ２６は、最も高い位置にある中央部から左右の両端部に向かうにつれて次第に下方に傾斜するように、円弧状に曲げられて形成されている。ステージ２６の左右方向における中央部には、前方に向けて下向きに傾斜する中央溝（第２誘導路）２６ａが形成されている。この中央溝２６ａは、パチンコ球８が入るサイズで形成されている。ステージ２６では、主にパチンコ球誘導路２５により誘導された（入口２５ａから入り出口２５ｂから排出された）パチンコ球８や、センター役物１２の周辺の釘１７で跳ね返されたパチンコ球８が転動する。中央溝２６ａに入ったパチンコ球８は、始動入賞口１３へ向けて落下する。中央溝２６ａに入ったパチンコ球８は、センター役物１２の周辺で流下しているパチンコ球８に比べて、始動入賞口１３に入賞する確率が高い。
【００２８】
前面板２０の前面には、遊技盤４が挿入される挿入凹部（挿入部）２０ｂが形成されている。挿入凹部２０ｂは、遊技盤４を挿入したときに、遊技盤４の前面と前面板２０の前面とが同一平面上になるような凹量で形成されている。挿入凹部２０ｂには、始動入賞口連通孔（第１案内孔）２０ｃ、通常入賞口連通孔（第１案内孔）２０ｄ、大入賞口連通孔（第２案内孔）２０ｅが形成されている。
【００２９】
前面板２０の前面には、遊技領域１０を流下するパチンコ球８の流下経路を変化させるための前面ボス２０ｆが複数形成されている。遊技領域１０に打ち出されたパチンコ球８は、釘１７及び前面ボス２０ｆに当接しながら流下し、各入賞口１３,１４及びアタッカ１５のいずれかに入るか、あるいはアウト口１６から回収される。前面板２０には、パチンコ機２の機種に応じた画像が印刷されたデザインシート（画像シート）が、インサート成形により一体的に形成されている。前面板２０は、透明な樹脂により形成されており、ガイドレール枠５の前面側から、前面板２０を介してデザインシートの画像を視認することができる。なお、デザインシートをインサート成形により一体的に形成する代わりに、前面板２０の後面にデザインシートを貼り付けるようにしてもよい。
【００３０】
図４に示すように、遊技盤４を挿入凹部２０ｂに挿入したときに、始動入賞口連通孔２０ｃは始動入賞口１３に、通常入賞口連通孔２０ｄは通常入賞口１４に、大入賞口連通孔２０ｅは大入賞口１９に、それぞれ連通する。これにより、各入賞口１３，１４，１９に入賞したパチンコ球８は、各連通孔２０ｃ〜２０ｅを通って、パチンコ機２の内部であってガイドレール枠５の後方に設けられた所定の受け部に送られる。遊技盤４と前面板２０との固定は、前面板２０の後面側から遊技盤４にネジを締めることにより行う。
【００３１】
始動入賞口１３にパチンコ球８が入賞し、始動入賞口１３の入賞検出センサから制御部１８に入賞検出信号が入力されると、制御部１８は、当たり決定部（図示せず）を作動させ、この当たり決定部は、１つの乱数値を抽選する。抽選された乱数値は当たりテーブルと照合され、当たりモードに移行させるか否かが抽選判定の結果として決定され、該決定に係る情報（例えば、コマンド）が生成される。制御部１８は、このコマンドに応じて図柄可変表示装置１１を作動し、図柄可変表示装置１１で図柄の可変表示が開始される。抽選判定で当たりが決定された場合には、制御部１８は、図柄可変表示装置１１で複数の図柄を一定の組み合わせで停止させるとともに、アタッカ１５を開放する。
【００３２】
アタッカ１５の奥の大入賞口１９にパチンコ球８が入賞し、大入賞口１９の入賞検出センサから制御部１８に入賞検出信号が入力されると、制御部１８は、１回の入賞に応じて例えば１５球のパチンコ球８を、供給皿７に払い出す制御を行う。遊技者は、アタッカ１５にパチンコ球８を入れることにより、多くのパチンコ球８を獲得することができる。このアタッカ１５の開放は、例えば、２０秒開放されるか、または大入賞口１９にパチンコ球８が１０個入賞されるのを１ラウンドとして、１５ラウンドが継続して実行される。
【００３３】
通常入賞口１４にパチンコ球８が入賞し、通常入賞口１４の入賞検出センサから制御部１８に入賞検出信号が入力されると、制御部１８は、１回の入賞に応じて例えば１５球のパチンコ球８を、供給皿７に払い出す制御を行う。
【００３４】
始動入賞口１３、通常入賞口１４及びアタッカ１５にパチンコ球８が入賞したときには、遊技者に遊技上の特典（当たり抽選の実施、パチンコ球８の払い出し）が与えられる。このため、釘１７の向きを調整することは、遊技者への特典付与率が変わることとなる。そこで、遊技場の管理者は、始動入賞口１３、通常入賞口１４及びアタッカ１５の周りに設けられた釘１７の向きを調整することにより、遊技者への特典付与率を変更して、営業を行う。例えば、遊技者への特典付与率を上げるように営業を行うときには、始動入賞口１３の上方に設けられた２本の釘１７の隙間を広げる。
【００３５】
上記のように構成されたパチンコ機２の作用について説明する。遊技場の管理者は、遊技者への特典付与率を上げるように営業を行うときには、始動入賞口１３の上方に設けられた２本の釘１７の隙間を広げる。２本の釘１７の間が広いときには、パチンコ球８が始動入賞口１３に入賞し易くなるため、パチンコ球８の始動入賞口１３への入賞率（打ち出されたパチンコ球８の数量に対して、始動入賞口１３に入賞したパチンコ球８の数量の比率）が高くなり、遊技者への特典付与率が上がる。同様にして、通常入賞口１４及びアタッカ１５の周りに設けられた釘１７の向きを調整して、パチンコ球８を通常入賞口１４及びアタッカ１５に入賞し易くする。
【００３６】
このように、遊技者への特典付与率に係る釘１７を、遊技領域１０よりも小さいサイズの遊技盤４に打ち付けたから、遊技盤４の小型化によるコストダウンを図りながらも、遊技場の管理者は、釘１７の向きを調整し、遊技者への特典付与率を調整することができる。
【００３７】
なお、上記実施形態では、始動入賞口１３、通常入賞口１４及びアタッカ１５を遊技盤４に設け、これらの周り及びパチンコ球誘導路２５にパチンコ球８を導く位置に釘１７を打ち付けたが、遊技盤４には、少なくとも始動入賞口１３及びアタッカ１５が設けられていればよく、それに応じて、遊技盤４のサイズ、釘１７を打ち付ける位置も適宜変更可能されるものである。
【図面の簡単な説明】
【００３８】
【図１】本発明を実施したパチンコ機の外観を示す斜視図である。
【図２】遊技盤とガイドレール枠とを示す分解斜視図である。
【図３】遊技盤とガイドレール枠とを示す斜視図である。
【図４】遊技盤とガイドレール枠とを示す側面断面図である。
【符号の説明】
【００３９】
２  パチンコ機（遊技機）
３  本体枠
４  遊技盤
５  ガイドレール枠（遊技領域規定枠）
８  パチンコ球（遊技球）
１０  遊技領域
１２  センター役物
１３  始動入賞口
１４  通常入賞口
１５  アタッカ（可動入賞装置）
１７  釘
１８  制御部
２０  前面板
２０ｂ  挿入凹部（挿入部）
２０ｃ  始動入賞口連通孔（第１案内孔）
２０ｄ  通常入賞口連通孔（第１案内孔）
２０ｅ  大入賞口連通孔（第２案内孔）
２５  パチンコ球誘導路（第１誘導路）
２６  ステージ
２６ａ  中央溝（第２誘導路）
【図１】
2008035936.tif 000003
【図２】
2008035936.tif 000004
【図３】
2008035936.tif 000005
【図４】
2008035936.tif 000006